(57)【特許請求の範囲】
【請求項１】
シート体が巻き付けられた状態で回転される回転ドラムに、回転ドラムの周面との間でシート体の周縁部を挟んで固定するシート体の固定装置であって、
前記シート体の周縁部に対向される当接面が円弧状に形成された第１のクランプ部が前記回転ドラムの周面との間で前記シート体の周縁部を挟持する第１のクランプと、
前記第１のクランプを、前記第１のクランプ部の前記当接面の円弧中心位置より前記回転ドラムの半径方向の内方側を軸に揺動可能に支持し、前記第１のクランプが前記回転ドラムと一体で回転されることにより生じる遠心力によって前記シート体をシート体の引張方向へ付勢可能とする第１の支持手段と、
を含むシート体の固定装置。
【請求項２】
前記シート体の周縁部に対向される第２のクランプ部が前記回転ドラムの周面との間で前記シート体の周縁部を挟持する第２のクランプと、
前記第２のクランプの重心よりも前記第２のクランプ部側を軸に揺動可能に支持して回転ドラムに取り付け、前記第２のクランプが前記回転ドラムと一体で回転されることにより生じる遠心力によって前記第２のクランプ部を回転ドラムの周面へ付勢可能とする第２の支持手段と、
を含み、前記シート体の前記回転ドラムの周方向の一端側を前記第２のクランプで保持し、他端側を前記第１のクランプによって保持する請求項１に記載のシート体の固定装置。
【発明の詳細な説明】
【０００１】
【発明の属する技術分野】
本発明は、感光性平版印刷版等のシート体を回転ドラムに巻き付けて、回転ドラムを回転するときに、シート体を回転ドラムに固定するシート体の固定装置に関する。
【０００２】
【従来の技術】
一般に、印刷には、アルミニウムの薄板などのシート状に形成した支持体に感光層を形成した感光性印刷版（以下「印刷版」と言う）が用いられる。この印刷版は、露光によって画像が記録された後に、現像処理等が施されて、印刷用の刷版として用いられる。また、この刷版は、印刷物の大きさに応じたサイズの印刷版を用いて作成される。
【０００３】
このような印刷版に画像露光を施す画像露光装置には、印刷版を回転ドラムに巻き付けて保持し、回転ドラムを高速回転させながら、印刷版に記録する画像データに応じた光ビームを印刷版に照射することにより、印刷版を走査露光するものがある。
【０００４】
ところで、回転ドラムを用いて印刷版を露光する画像露光装置では、印刷版を回転ドラムに巻き付けたときに、回転ドラムの周方向に沿った印刷版の両端の非非画像部分を回転ドラムとの間でクランプして固定する固定装置を用いたものがある。このような固定装置は、一般に付勢力によって、印刷版に対向するクランプ部を回転ドラムの周面へ向けて付勢して、クランプ部と回転ドラムとの間で印刷版を挟持するようになっている。
【０００５】
【発明が解決しようとする課題】
しかしながら、回転ドラムに印刷版などのシート体を巻き付けた状態で回転ドラムを高速回転させると、クランプ部に遠心力が作用して、印刷版に対する挟持力が低下してしまう。このときに、回転ドラムに巻き付けた印刷版にも遠心力が作用するため、印刷版にずれが生じたり、回転ドラムの周面からの浮きが生じてしまうことがある。
【０００６】
このために、例えば、印刷版に画像を記録するときに、画像の位置ずれ、光ビームのピントずれや印刷版に記録した画像にゆがみ等の画像記録不良が生じることがある。このような印刷版への画像記録不良は、印刷物に仕上がり不良を生じさせてしまう。
【０００７】
本発明は上記事実に鑑みてなされたものであり、回転ドラムに印刷版などのシート体を巻き付けたときに、このシート体を確実に回転ドラムへ固定することができるシート体の固定装置を提案することを目的とする。
【０００８】
【課題を解決するための手段】
本発明は、シート体が巻き付けられた状態で回転される回転ドラムに、回転ドラムの周面との間でシート体の周縁部を挟んで固定するシート体の固定装置であって、前記シート体の周縁部に対向される当接面が円弧状に形成された第１のクランプ部が前記回転ドラムの周面との間で前記シート体の周縁部を挟持する第１のクランプと、前記第１のクランプを、前記第１のクランプ部の前記当接面の円弧中心位置より前記回転ドラムの半径方向の内方側を軸に揺動可能に支持し、前記第１のクランプが前記回転ドラムと一体で回転されることにより生じる遠心力によって前記シート体をシート体の引張方向へ付勢可能とする第１の支持手段と、を含む。
【０００９】
この発明によれば、回転ドラムに巻き付けたシート体の周縁部を、第１のクランプの第１のクランプ部と回転ドラムとの間で挟んで保持する。この第１のクランプは、回転ドラムと一体で回転することにより生じる遠心力によって第１のクランプ部が支軸を中心に回動されるように付勢する。
【００１０】
これにより、回転ドラムが回転したときに、遠心力によって第１のクランプ部がシート体を引っ張り、シート体に撓みが生じるのを防止できる。
【００１１】
請求項２に係る発明は、前記シート体の周縁部に対向される第２のクランプ部が前記回転ドラムの周面との間で前記シート体の周縁部を挟持する第２のクランプと、前記第２のクランプの重心よりも前記第２のクランプ部側を軸に揺動可能に支持して回転ドラムに取り付け、前記第２のクランプが前記回転ドラムと一体で回転されることにより生じる遠心力によって前記第２のクランプ部を回転ドラムの周面へ付勢可能とする第２の支持手段と、を含み、前記シート体の前記回転ドラムの周方向の一端側を前記第２のクランプで保持し、他端側を前記第１のクランプによって保持する。
【００１２】
この発明によれば、第２の支持手段によって第２のクランプが重心よりも第２のクランプ部側で揺動可能に支持されている。この第２のクランプが回転ドラムと一体で回転することにより、第２のクランプの重心位置で、回転ドラムの半径方向の外方へ向けて遠心力が作用する。この遠心力によって第２のクランプが揺動すると、第２のクランプ部がこの遠心力に応じた押圧力でシート体を回転ドラムの周面へ向けて押圧する。
【００１３】
これにより、シート体は、回転ドラムが回転することにより、回転ドラムが回転を停止しているときよりも強い押圧力で挟持されて回転ドラムに固定される。
【００１４】
また、この第２のクランプで、回転ドラムの周方向に沿ったシート体の一端側を保持し、第１のクランプでシート体の他端側を保持する。
【００２３】
この本発明では、シート体の一端に対向する第２のクランプの第２のクランプ部がシート体を回転ドラムへ押し付けて固定し、シート体の他端に対向する第１のクランプの第１のクランプ部によってシート体に撓みが生じないように引っ張る。
【００２４】
このような本発明では、第１のクランプが、回転ドラムの周方向に沿った任意の位置でシート体の端部を挟持可能であることが好ましく、これにより、回転ドラムの周方向に沿った寸法にかかわらず、シート体を回転ドラムに密着させて固定することができる。この第１のクランプを回転ドラムの任意の位置に配置するときに、回転ドラムに対して着脱可能であっても良く、また、回転ドラムの周方向に沿って移動可能に取付けられているものであっても良い。
【００２５】
【発明の実施の形態】
以下、図面を参照して本発明の実施の形態を説明する。図１には、本実施の形態に適用した画像露光装置１０の概略構成を示している。この画像露光装置１０は、シート体として例えばアルミニウム等によって形成した矩形薄板状（例えば肉厚が０．３mm程度）の支持体に感光層を形成した感光性平版印刷版（以下「印刷版１２」という）を用い、この印刷版１２に画像データに基づいて変調した光ビームを照射して走査露光する。画像露光装置１０で画像露光の終了した印刷版１２は、図示しない自動現像装置等によって現像処理等が施される。
【００２６】
この画像露光装置１０には、機枠１４内にカセット装填部１８、給版搬送部２０、記録部２２及び排出バッファ部２４等が配置されて構成されている。カセット装填部１８は、機枠１４内の図１紙面右下側に配置されており、それぞれに多数枚の印刷版１２を収容している複数のカセット１６が、所定角度で傾斜された状態で装填される。
【００２７】
画像露光装置１０では、縦横の寸法が異なる複数サイズの印刷版１２の処理が可能となっており、カセット１６には、何れかのサイズの印刷版１２が、感光層を上側にし、一端が所定の位置となるように位置決めされて収容されている。また、カセット装填部１８には、複数のカセット１６が所定間隔で、かつそれぞれに収容している印刷版１２の一端が略一定の高さとなるように装填される。
【００２８】
給版搬送部２０は、カセット装填部１８の上方に配置され、記録部２２は、カセット装填部に隣接して、装置の中央下部に配置されている。給版搬送部２０には、一対の側板２６（図１では一方のみを図示）が設けられており、この側板２６に反転ユニット２８及び枚葉ユニット３０が取付けられている。
【００２９】
反転ユニット２８は、所定の外径寸法の反転ローラ３２を備え、この反転ローラ３２の周囲に複数の小ローラ（本実施の形態では、一例として小ローラ３４Ａ、３４Ｂ、３４Ｃ、３４Ｄの４個）が設けられている。小ローラ３４Ａ〜３４Ｄは、カセット装填部１８側から反転ローラ３２の上方を経て記録部２２側に跨って配置され、無端の搬送ベルト３６が巻き掛けられている。これにより、搬送ベルト３６は、小ローラ３４Ａと小ローラ３４Ｄの間の約半周に亘って反転ローラ３２に巻き掛けられている。
【００３０】
一方、枚葉ユニット３０は、カセット１６内の印刷版１２の上端部を吸着する複数の吸盤３８を備えており、吸盤３８を下方移動させてカセット装填部１８に装填されているカセット１６内の印刷版１２の上端部に対向させ、吸盤３８によってこの印刷版１２を吸着する。また、枚葉ユニット３０は、印刷版１２を吸着した吸盤３８を略上方へ移動させることにより、カセット１６から印刷版１２を引き出すと共に、引き出した印刷版１２の先端を、反転ローラ３２と搬送ベルト３６の間へ挿入する。なお、図１では、吸盤３８の移動位置の概略を二点鎖線で示している。
【００３１】
反転ユニット２８は、反転ローラ３２と搬送ベルト３６をカセット１６からの印刷版１２の引き出し方向（図１の矢印Ａ方向）に回転させる。これにより、印刷版１２は、反転ローラ３２と搬送ベルト３６に挟持されてカセット１６から引き出されると共に、反転ローラ３２の周面に巻き掛けられることにより、湾曲されながら搬送されて反転される。なお、反転ローラ３２の半径寸法は、印刷版１２を湾曲させたときに、印刷版１２に折れや曲がりを生じさせない寸法（例えば１００ｍｍ以上）としている。
【００３２】
図１に実線及び二点鎖線で示すように、側板２６は、印刷版１２を取出すカセット１６の位置に応じて水平移動する。これにより、枚葉ユニット３０の吸盤３８は、選択されたカセット１６内の印刷版１２に対向される。
【００３３】
また、側板２６には、小ローラ３４Ｄの下方にガイド４０が設けられており、反転ローラ３２によって反転された印刷版１２は、小ローラ３４Ｄ側で反転ドラム３２と搬送ベルト３６の間から、このガイド４０へ向けて送り出される。また、記録部２２の上方には、搬送コンベア４２が配置されており、反転ユニット２８から送り出された印刷版１２は、ガイド４０によって搬送コンベア４２へ案内される。
【００３４】
なお、ガイド４０は、常に印刷版１２の案内方向を搬送コンベア４２へ向けるように、側板２６の移動に伴って揺動する。また、記録部２２側の小ローラ３４Ｄは、側板２６の移動に伴って反転ユニット２８からの印刷版１２の送出し方向を換えるように移動し、小ローラ３４Ｃは、小ローラ３４Ｄが移動したときに搬送ベルト３６に略一定の張力を付与するように移動する。これにより、反転ユニット２８から送り出される印刷版１２がガイド４０によって緩やかに湾曲されるようにしている。
【００３５】
搬送コンベア４２は、給版搬送部２０の下方に隣接したローラ４４と、記録部２２の上方に隣接したローラ４６との間に搬送ベルト４８が巻き掛けられ、ローラ４６側が下方となるように傾斜されている。搬送コンベア４２には、ローラ４６に対向してローラ５０が配置されており、搬送コンベア４２上に送り込まれた印刷版１２は、搬送ベルト４８上を搬送されてローラ４６、５０に挟持される。
【００３６】
記録部２２には、架台５２上に回転ドラム５４及び記録ヘッド部５６が取付けられている。また、回転ドラム５４の上方には、パンチャー５８が配置されており、搬送コンベア４２は、ローラ４６、５０によって印刷版１２を挟持し、印刷版１２の先端をパンチャー５８の銜え口６０に挿入して保持する。パンチャー５８は、銜え口６０に印刷版１２の先端が挿入されると、印刷版１２の先端の所定の位置に、位置決め用の切り欠きを穿設する。
【００３７】
搬送コンベア４２は、印刷版１２に切り欠きが穿設されると、搬送ベルト４８と共にローラ４６、５０を逆転駆動して、印刷版１２の先端をパンチャー５８の銜え口６０から引き出す。また、搬送コンベア４２には、図示しない揺動手段が設けられており、この揺動手段によってローラ４４側を軸にしてローラ４６側が記録部２２の回転ドラム５４に接近するように下方移動される。これにより、搬送ベルト４８上の印刷版１２は、先端が回転ドラム５４の外周面の所定位置に向けられて、搬送ベルト４８上を回転ドラム５４へ向けて搬送される。
【００３８】
回転ドラム５４は、図示しない駆動手段によって、印刷版１２の装着露光方向（図１の矢印Ｂ方向）及び装着露光方向と反対方向となる印刷版１２の取外し方向（図１の矢印Ｃ方向）へ回転される。
【００３９】
図２に示されるように、記録部２２に設けられている回転ドラム５４には、外周面の所定の位置に、固定装置として先端チャック６２が取付けられている。この回転ドラム５４に印刷版１２を装着するときに、先ず、先端チャック６２が、搬送コンベア４２によって送り込まれる印刷版１２の先端に対向する位置（印刷版装着位置）で回転ドラム５４を停止させる。
【００４０】
記録部２２には、印刷版装着位置で先端チャック６２に対向する装着カム６４が設けられている。先端チャック６２は、この装着カム６４が回動して一端側が押圧されることにより、回転ドラム５４の周面との間に印刷版１２の挿入が可能となる。記録部２２では、印刷版１２の先端が先端チャック６２と回転ドラム５４の間に挿入された状態で、装着カム６４を回動して先端チャック６２への押圧を解除することにより、印刷版１２の先端を先端チャック６２と回転ドラム５４の周面との間で挟持して保持する。なお、このときに、印刷版１２は、パンチャー５８によって穿設された切り欠きに、回転ドラム５４の周面の所定の位置に突設されている図示しない位置決めピンが入り込むことにより、回転ドラム５４に対して位置決めされる。
【００４１】
記録部２２では、回転ドラム５４に印刷版１２の先端が固定されると、回転ドラム５４を装着露光方向へ回転する。これにより、搬送コンベア４２から送り込まれる印刷版１２は、回転ドラム５４の周面に巻き付けられる。
【００４２】
回転ドラム５４の周面近傍には、印刷版装着位置よりも装着露光方向の下流側にスクイズローラ６６が配置されている。このスクイズローラ６６は、回転ドラム５４に向けて移動することにより回転ドラム５４に巻き付けられる印刷版１２を回転ドラム５４へ向けて押圧し、印刷版１２を回転ドラム５４の周面に密着させる。
【００４３】
また、記録部２２には、スクイズローラ６６よりも回転ドラム５４の装着露光方向上流側近傍に後端チャック着脱ユニット６８が設けられ、装着露光方向の下流側近傍に取外しカム７０が配置されている。後端チャック着脱ユニット６８には、回転ドラム５４へ向けて突出されたシャフト７２の先端に後端チャック７４が装着されている。
【００４４】
記録部２２では、回転ドラム５４に巻き付けた印刷版１２の後端が、後端チャック着脱ユニット６８に対向すると、シャフト７２を突出させて、後端チャック７４を回転ドラム５４の所定の位置に装着する。これにより、後端チャック７４が、回転ドラム５４との間で印刷版１２の後端を挟持して保持する。
【００４５】
記録部２２では、印刷版１２の先端及び後端を回転ドラム５４に保持させるとスクイズローラ６６を離間させる。この後、記録部２２では、回転ドラム５４を所定の回転速度で高速回転させながら、この回転ドラム５４の回転に同期させて、記録ヘッド部５６から画像データに基づいて変調した光ビームを照射する。これにより、印刷版１２が画像データに基づいて走査露光される。
【００４６】
記録部２２では、印刷版１２への走査露光が終了すると、印刷版１２の後端を保持している後端チャック７４が後端チャック着脱ユニット６８に対向する位置で回転ドラム５４を一時停止すると共に、スクイズローラ６６によって回転ドラム５４との間で印刷版１２を挟持する。後端チャック着脱ユニット６８は、後端チャック７４が対向して回転ドラム５４の回転が停止すると、回転ドラム５４から後端チャック７４を取り外す。これにより、印刷版１２の後端が開放される。
【００４７】
記録部２２では、回転ドラム５４から後端チャック７４を取り外すと、回転ドラム５４を印刷版１２の取外し方向へ回転する。これにより、スクイズローラ６６と回転ドラム５４の間から印刷版１２が後端側から送出される。
【００４８】
図１に示されるように、排出バッファ部２４は、スクイズローラ６６の上方側に設けられており、回転ドラム５４が印刷版１２の取外し方向へ回転することにより、印刷版１２は、後端側から排出バッファ部２４へ向けて送り出される。また、回転ドラム５４は、印刷版１２の取出し方向に回転して、先端チャック６２が取外しカム７０に対向する印刷版取外し位置で停止する。記録部２２では、この取外しカム７０を回動することにより先端チャック６２を押圧して、先端チャック６２と回転ドラム５４との間での印刷版１２の先端の挟持を解除する。これにより、印刷版１２が回転ドラム５４から取り外される。
【００４９】
一方、排出バッファ部２４は、機枠１４に形成されている排出口７６の内方側に設けられており、排出ローラ７８を備えている。この排出ローラ７８の周囲には、複数の小ローラ（一例として小ローラ８０Ａ、８０Ｂ、８０Ｃ、８０Ｄ、８０Ｅ）が配置されており、これらの小ローラ８０Ａ〜８０Ｅの間に無端の搬送ベルト８２が巻き掛けられている。これにより、排出ローラ７８には、小ローラ８０Ａと小ローラ８０Ｅの間の１／２周から３／４周の範囲で搬送ベルト８２が巻き掛けられている。
【００５０】
小ローラ８０Ａは、記録部２２のスクイズローラ６６側へ向けて突設されており、ローラ８４が対向して配置されている。記録部２２から送出された印刷版１２は、小ローラ８０Ａとローラ８４の間へ向けて案内され、小ローラ８０Ａとローラ８４とに挟持される。
【００５１】
排出バッファ部２４では、排出ローラ７８を印刷版１２の引き入れ方向（矢印Ｄ方向）に回転駆動することにより、小ローラ８０Ａとローラ８４に挟持した印刷版１２を記録部２２から引き出しながら排出ローラ７８と搬送ベルト８２の間に案内し、排出ローラ７８と搬送ベルト８２で挟持して排出ローラ７８に巻き掛ける。このとき、排出バッファ部２４では、印刷版１２の先端部（記録部２２で先端チャック６２側）を小ローラ８０Ａとローラ５４に挟持することにより、排出ローラ７８に巻き掛けた印刷版１２を一次的に保持する。
【００５２】
一方、図１に二点鎖線で示されるように、排出バッファ部２４では、小ローラ８０Ａとローラ８４が排出口７６に対向する位置へ移動する。このとき、小ローラ８０Ａとアイドルローラ８４が一体で回動することにより、印刷版１２の先端が排出口７６へ向けられる。なお、小ローラ８０Ａの上方の小ローラ８０Ｂは、小ローラ８０Ａの移動に追従して移動し、搬送ベルト８２に一定の張力を付与するようになっている。
【００５３】
排出バッファ部２４では、印刷版１２の先端を排出口７６へ向けると、排出ローラ７８を、排出口７６に隣接して配置している自動現像装置などの処理装置での印刷版１２の搬送速度に応じた回転速度で、印刷版１２の送出し方向（矢印Ｄ方向と反対方向）へ回転駆動する。これにより、印刷版１２が排出口７６から送り出される。
【００５４】
ところで、回転ドラム５４には、印刷版１２を固定する固定装置として、先端チャック６２と後端チャック７４が設けられている。先端チャック６２は、印刷版１２の先端を所定の位置に固定するように回転ドラム５４に取り付けられており、後端チャック７４は、回転ドラム５４に巻き付けられた印刷版１２の後端に対向するように回転ドラム５４に装着されるようになっている。
【００５５】
図３及び図４に示されるように、先端チャック６２は、所定長さの帯板状に形成されたクランプ１００が設けられており、このクランプ１００が所定間隔で回転ドラム５４の軸線方向に沿って配置されている。また、図３及び図８に示されるように、回転ドラム５４の周囲には、所定長さの帯板状に形成されたクランプ１４０が備えられており、このクランプ１４０が、回転ドラム５４の軸線方向に沿って所定間隔で並べられて回転ドラム５４に装着される。
【００５６】
図４乃至図６に示されるように、クランプ１００には、幅方向の一端側に、回転ドラム５４の周面に向けて突設されたクランプ部１０２が設けられている。クランプ１００は、このクランプ部１０２が回転ドラム５４の装着露光方向の上流側に向けられて配置されており、このクランプ部１０２と回転ドラム５４の周面との間で印刷版１２の先端を挟持して、印刷版１２を回転ドラム５４に固定するようになっている。
【００５７】
クランプ１００には、クランプ部１０２と反対側の面の複数箇所に、略矩形形状の凹部１０４が形成されており、それぞれの凹部１０４に、支持手段として脚１０６が取付けられている。
【００５８】
図５及び図６に示されるように、脚１０６には、矩形ブロック形状の基部１０８が設けられている。この基部１０８からは、脚部１１０が立設され、脚部１１０からさらに小径の支軸１１２（図６参照）が突設されている。
【００５９】
図６に示されるように、クランプ１００には、凹部１０４に貫通孔１１４が穿設されており、脚１０６は、支軸１１２が貫通孔１１４に挿通されている。脚１０６は、クランプ１００を支軸１１２の先端に螺合されたネジ１１６と脚部１１０とで挟むことにより連結されている。先端チャック６２は、脚１０６の基部１０８が回転ドラム５４の周面よりも内側に挿入され固定されることにより、回転ドラム５４に取付けられる。なお、基部１０８の回転ドラム５４への固定は、任意の方法を用いることができ、詳細な説明を省略する。
【００６０】
図５及び図６に示されるように、先端チャック６２には、脚１０６の脚部１１０とクランプ１００との間に弾性体によって形成された座板１１８が挟持されており、ネジ１１６とクランプ１００との間に、座板１１８と、可撓性部材によって略矩形形状に形成された抑え板１２０が挟持されている。また、貫通孔１１４の内径は、支軸１１２の外径よりも僅かに大きくなっている（図６参照）。
【００６１】
これにより、先端チャック６２は、クランプ１００のクランプ部１０２と反対側の端部に上下方向（図５及び図６の紙面上下方向）へ向けて力を加えることにより、座板１１８が弾性変形すると共に、抑え板１２０に撓みが生じて支軸１１２の所定の位置を支点（図７に示す支点ＰA）にして揺動する。
【００６２】
クランプ１００は、支軸１１２を挟んでクランプ部１０２と反対側が押圧部１２２となっている。この押圧部１２２には、回転ドラム５４側（図５及び図６の紙面下側）に、複数の付勢脚１２４が設けられている。付勢脚１２４のそれぞれは、たとえば、脚１０６のそれぞれに隣接して設けられている。
【００６３】
付勢脚１２４は、回転ドラム５４の周面に対向する略円板形状の当て板１２６を備えており、この当て板１２６から立設されているシャフト１２８が、クランプ１００の押圧部１２２に形成されている貫通孔１３０（図６参照）に挿通されている。
【００６４】
シャフト１２８には、軸線方向に沿った中間部にフランジ部１３２が形成されている。また、貫通孔１３０は、回転ドラム５４と反対側に拡径部１３４が形成されており、この拡径部１３４内にフランジ部１３２が入りこんで、シャフト１２８が回転ドラム５４側に抜けるのを防止している。
【００６５】
図６に示されるように、付勢脚１２４には、当て板１２６とクランプ１００の間にコイルばね１３６が配置されており、このコイルばね１３６の付勢力によって付勢脚１２４が回転ドラム５４側へ突出されている。なお、図５では、コイルばね１３６の図示を省略している。また、当て板１２６とクランプ１００のそれぞれには、ガイドリング１３８が形成され、コイルばね１３６のずれを防止している。
【００６６】
先端チャック６２は、脚１０６の基部１０８を回転ドラム５４の外周部の所定の位置に固定したときに、当て板１２６が回転ドラム５４の外周面に当設する。これにより、クランプ１００は、コイルばね１３６の付勢力によって押圧部１２２側が回転ドラム５４の周面から離間する方向へ付勢されると共に、クランプ部１０２が回転ドラム５４の周面へ向けて付勢される。図７に示されるように、先端チャック６２は、この付勢力によってクランプ部１０２と回転ドラム５４の周面との間で印刷版１２を挟持するようになっている。
【００６７】
また、クランプ１００の押圧部１２２は、回転ドラム５４を印刷版装着位置及び印刷版取外し位置に停止させたときに、装着カム６４及び取外しカム７０に対向するようになっており、装着カム６４または取外しカム７０によって押圧部１２２が回転ドラム５４の周面へ向けて押圧されることにより、クランプ１００が、コイルばね１３６の付勢力に抗して揺動する。これにより、クランプ部１０２が回転ドラム５４の周面から離間し、クランプ部１０２と回転ドラム５４の周面との間への印刷版１２の挿入及び印刷版１２の抜き出しが可能となる。
【００６８】
一方、図６及び図７に示されるように、脚１０６が連結されている貫通孔１１４の位置は、クランプ１００の重心ＧAよりもクランプ部１０２側に偏寄されている。すなわち、クランプ１００が揺動するときの支点ＰAが、重心ＧAよりもクランプ部１０２側となっている。
【００６９】
これにより、回転ドラム５４が回転したときに、クランプ１００に作用する遠心力によってクランプ１００は、クランプ部１０２を回転ドラム５４の周面へ向けるように揺動する。
【００７０】
すなわち、図７に示されるように、回転ドラム５４が回転したときに、クランプ１００に作用する遠心力ＦAによって、クランプ部１０２には、回転ドラム５４の回転中心に向けられる押圧力Ｆ1が作用する。これにより、先端チャック６２は、回転ドラム５４が回転したときに、コイルばね１３６の付勢力と遠心力ＦAに応じた押圧力Ｆ1による挟持力によって、回転ドラム５４とクランプ部１０２との間で印刷版１２を挟持して、印刷版１２を回転ドラム５４の周面に固定する。
【００７１】
一方、図８乃至図１０には、後端チャック７４の一例を示している。図８に示されるように、後端チャック７４は、所定長さの帯板状に形成されたクランプ１４０を備えており、このクランプ１４０の長手方向が回転ドラム５４の軸線方向に沿うように配置される。なお、回転ドラム５４には、複数のクランプ１４０が所定の間隔で回転ドラム５４の軸線方向に沿って配置される。
【００７２】
図８乃至図１０に示されるように、このクランプ１４０には、幅方向の一端側にクランプ部１４２が形成されている。クランプ部１４２は、クランプ１４０の幅方向と直行する方向に突設されている。また、図１１（Ａ）及び図１１（Ｂ）に示されるように、クランプ部１４２は、先端部が所定位置の点Ｐ1を中心に円弧状に湾曲されて当接部１４４が形成されている。
【００７３】
後端チャック７４は、この当接部１４４を回転ドラム５４の周面へ向けた状態で回転ドラム５４に装着されることにより、回転ドラム５４に巻き付けられた印刷版１２の後端部周縁に当接部１４４が当接してクランプ部１４２と回転ドラム５４との間で挟持して保持する。
【００７４】
図８に示されるように、クランプ１４０には、回転ドラム５４に対向する面と反対側の面（図８の紙面手前側の面）に複数の凹部１４６が形成されている。凹部１４６は、平面形状が略Ｔ字状となっており、クランプ部１４２側に偏寄して形成されている。図９及び図１０に示されるように、後端チャック７４には、凹部１４６のそれぞれに支持部材１４８が取り付けられている。
【００７５】
図９に示されるように、支持部材１４８は、シャフト１５０の軸線方向に沿った中間部から基板１５２が延設されており、この基板１５２に脚１５４が取り付けられている。
【００７６】
また、図３に示されるように、回転ドラム５４の周面には、複数本の装着溝９０が軸線方向に沿って所定間隔で形成されており、後端チャック７４は、支持部材１４８が装着溝９０に挿入されて回転ドラム５４に取り付けられる（取付け状態の図示は省略）。なお、本実施の形態では、一例として、２本の装着溝９０が一組で後端チャック７４の一つのクランプ１４０に対応し、クランプ１４０には、２個ずつの支持部材１４８が設けられている。
【００７７】
回転ドラム５４では、装着溝９０が略全周に渡って形成されていることにより、印刷版１２のサイズにかかわらず、印刷版１２の後端に対向する位置に後端チャック７４を装着できるようになっている。
【００７８】
クランプ１４０には、凹部１４６のクランプ部１４２側に、溝方向がクランプ１４０の長手方向に沿う溝１５６が形成されている。また、クランプ１４０には、溝１５６に隣接して凹部１４６内に矩形孔１５８が穿設されている。支持部材１４８は、シャフト１５０が溝１５６に嵌め込まれると共に、基板１５２が矩形孔１５８に嵌め込まれることにより、クランプ１４０にシャフト１５０を軸にして揺動可能に取り付けられている。
【００７９】
すなわち、図１１（Ａ）及び図１１（Ｂ）に示されるように、クランプ１４０は、シャフト１５０（図１１（Ａ）及び図１１（Ｂ）では図示省略）の軸心をし支点ＰBとして、支持部材１４８に対して揺動可能となっている。
【００８０】
図９及び図１０に示されるように、脚１５４は、矩形ブロック形状に形成された基部１６０と、この基部１６０から立設された脚部１６２とによって形成されており、脚部１６２から突設されたシャフト１６４（図１０参照）が支持部材１４８の基板１５２に形成された貫通孔（図示省略）に挿入されて連結されている。
【００８１】
図１０に示されるように、脚部１６２と基板１５２の間には、弾性体によってリング状に形成され座板１６６が介在されており、また、基板１５２の上側には、可撓性部材によって略矩形形状に形成された抑え板１６８が座板１６６に挟まれて配置されている。抑え板１６８及び抑え板１６８を挟持している座板１６６は、シャフト１６４に螺合されているネジ１７０によって取り付けられている。
【００８２】
抑え板１６８は、基板１５２のシャフト１５０側と、クランプ１４０の凹部１４６との間に掛け渡されており、また、基板１５２には、シャフト１５０と反対側の端部に段差部１７２が形成されており、この段差部１７２と抑え板１６８の間で、クランプ１４０の矩形孔１５８の周縁部を挟んでいる。
【００８３】
これにより、クランプ１４０は、座板１６６を弾性変形させながら抑え板１６８を撓ませることにより、支持部材１４８のシャフト１５０を軸（支点ＰB）にして、支持部材１４８に対して揺動する。
【００８４】
また、支持部材１４８には、脚１５４の脚部１６２と支持部材１４８の基板１５２との間に、板ばね１７４の一端が挟持されて取付けられている。この板ばね１７４の他端側は、回転ドラム５４側へ向けて屈曲されている。
【００８５】
後端チャック７４は、クランプ部１４２の当接部１４４を印刷版１２の後端部に対向させた状態で、脚１５４の基部１６０を回転ドラム５４の所定の位置に嵌め込むことにより、回転ドラム５４に装着される。このとき、板ばね１７４が回転ドラム５４の周面に当接して弾性変形する。
【００８６】
後端チャック７４は、この板ばね１７４が弾性変形することにより生じる付勢力によってクランプ部１４２の当接部１４４を回転ドラム５４の周面へ向けるように付勢され、当接部１４４と回転ドラム５４との間で印刷版１２を挟持する。
【００８７】
なお、後端チャック７４の回転ドラム５４への装着は、例えば、回転ドラム５４の周面に内部が拡幅された装着溝を形成し、この装着溝へ脚１５４の基部１６０を挿入して、シャフト１６４と共に基部１６０を回転することにより、基部１６０の周面が溝の内面に当接して固定されるなどの任意の構成を用いることができる。
【００８８】
一方、図１０、図１１（Ａ）及び図１１（Ｂ）に示されるように、クランプ１４０が支持部材１４８に対して揺動するときの支点ＰBは、クランプ１４０の重心ＧBよりもクランプ部１４２側となっている。また、支点ＰBは、当接部１４４の円弧の中心となる点Ｐ1よりも回転ドラム５４側となっている。
【００８９】
回転ドラム５４が回転することにより、クランプ１４０には、遠心力が生じる。この遠心力ＦBは、支点ＰBを中心にしてクランプ１４０の重心ＧBを、回転ドラム５４から離間する方向にクランプ１４０を回動させるように作用する。
【００９０】
これにより、クランプ部１４２も支点ＰBを軸に回動されることになり、印刷版１２への当接位置が、回動方向と反対方向にずれ、当接部１４４に当接している印刷版１２の後端部が、印刷版１２を伸長する方向に引っ張る。すなわち、印刷版１２に当接する当接部１４４を円弧状に形成しているため、当接部１４４の印刷版１２への当接位置Ｓで、遠心力ＦBによって印刷版１２を引っ張る方向への引張力Ｆ2が生じる。
【００９１】
また、印刷版１２に当接する当接部１４４は、印刷版１２に対向する円弧状の面の中心となる点Ｐ1が、支点ＰBよりも回転ドラム５４の半径方向の外方側となっている。これにより、支点ＰBから回転ドラム５４が停止しているときの当接部１４４の印刷版１２への当接位置Ｓ1までの距離ｒ1が、回転ドラム５４を回転したときの当接部１４４の印刷版１２の当接位置Ｓ2（図１１（Ｂ）に二点鎖線で示す）までの距離ｒ2よりも短くなっている（ｒ1＜ｒ2）。
【００９２】
したがって、クランプ１４０が遠心力ＦBによって回動すると、クランプ部１４２による印刷版１２への押圧力Ｆ3が大きくなると共に、引張力Ｆ2が減少し、押圧力Ｆ3に対する抗力によって、クランプ１４０の遠心力ＦBによる回動が抑えられる。すなわち、クランプ１４０は、当接部１４０の湾曲の中心（点Ｐ1）をクランプ部１４２の支点ＰBよりも回転ドラム５４側とすることにより、クランプ１４０による印刷版１２の伸長を制限し、印刷版１２が必要以上に伸ばされることがないようにしている。
【００９３】
また、図１１（Ａ）に示されるように、クランプ１４０は、支持部材１４８に対して揺動する時の支点ＰBが、クランプ１４０の重心ＧBよりもクランプ部１４２側となっていることにより、回転ドラム５４の一体で回転したときの遠心力ＦBによって生じる押圧力Ｆ3によって、回転ドラム５４とクランプ部１４２との間で、印刷版１２を確実に挟持するようになっている。
【００９４】
以下に本実施の形態の作用を説明する。
【００９５】
画像露光装置１０では、印刷版１２に露光する画像データが入力され、画像露光を行う印刷版１２のサイズ及び露光枚数が設定されて、画像露光の開始が指示されると、印刷版１２への画像露光処理を開始する。なお、これらの処理は、画像露光装置１０に操作パネルを設け、この操作パネルのスイッチ操作によって指示するものであっても良く、画像露光装置１０に画像データを出力する画像処理装置等からの信号によって画像露光装置１０の処理開始を指示するものであっても良い。
【００９６】
画像露光装置１０では、処理の開始が指示されると、指定されたサイズの印刷版１２を収容しているカセット１６に対応する位置へ反転ユニット２８と共に枚葉ユニット３０を移動させ、吸盤３８によって該当するカセット１６内の印刷版１２を吸着して取出し、反転ユニット２８の反転ローラ３２と搬送ベルト３６の間へ送り込む。これにより、印刷版１２は、反転ローラ３２と搬送ベルト３６に挟持搬送され、搬送コンベア４２へ送られる。
【００９７】
搬送コンベア４２は、この印刷版１２の先端をパンチャー５８の銜え口６０に挿入し、パンチャー５８は、この印刷版１２の所定の位置に位置決め用の切り欠きを穿設する。搬送コンベア４２は、印刷版１２に切り欠きが穿設されると、この印刷版１２をパンチャー５８の銜え口６０から引き出して、回転ドラム５４の周面へ向けて送り出す。
【００９８】
記録部２２では、この印刷版１２の先端を先端チャック６２によって回転ドラム５４に保持させると、スクイズローラ６６によってスクイズしながら印刷版１２を回転ドラム５４に巻き付け、印刷版１２の後端を後端チャック７４によって回転ドラム５４に保持させる。
【００９９】
この後、記録部２２では、回転ドラム５４を高速回転しながら記録ヘッド部５６から画像データに基づいた光ビームを印刷版１２に照射して、印刷版１２を走査露光する。印刷版１２の走査露光が終了すると、後端チャック７４を回転ドラム５４から取外して、印刷版１２を排出バッファ部２４へ送り出す。
【０１００】
排出バッファ部２４では、印刷版１２を小ローラ８０Ａとローラ８４によって挟持搬送して排出ローラ７８に巻き掛けた後、小ローラ８０Ａとローラ８４を排出口７６に対向させて、排出口７６から所定の搬送速度で送り出す。
【０１０１】
ところで、回転ドラム５４には、先端チャック６２が設けられており、また、後端チャック７４が装着されるようになっている。回転ドラム５４に巻き付けられる印刷版１２は、搬送コンベア４２から記録部２２に送り込まれる時に先端部が先端チャック６２によって回転ドラム５４に固定されて回転ドラム５４に巻き付けられる。また、記録部２２では、回転ドラム５４に巻き付けられた印刷版１２の後端位置に合わせて後端チャック７４を回転ドラム５４に装着することにより、印刷版１２の後端部を回転ドラム５４に固定する。
【０１０２】
先端チャック６２は、装着カム６４がコイルばね１３６の付勢力に抗して押圧部１２２を押下することにより、クランプ部１０２が回転ドラム５４の周面から離間して、印刷版１２の挿入が可能となる。また、先端チャック６２は、装着カム６４による押圧部１２２の押下が解除されると、コイルばね１３６の付勢力によってクランプ部１０２と回転ドラム５４との間で印刷版１２の先端を挟持する。これにより、印刷版１２の先端が回転ドラム５４に固定される。
【０１０３】
一方、後端チャック７４は、印刷版１２の後端がクランプ部１４２に対向する位置で回転ドラム５４に装着される。後端チャック７４は、回転ドラム５４に装着されることにより、板ばね１７４が回転ドラム５４の周面に当接して弾性変形する。この板ばね１７４が弾性変形することにより生じる付勢力によって、印刷版１２の後端部がクランプ部１４２と回転ドラム５４との間で挟持されて固定される。
【０１０４】
このとき、後端チャック７４は、支持部材１４８が回転ドラム５４の外周部に形成された装着溝９０に挿入されて装着される。この装着溝９０は、回転ドラム５４の周方向に沿って形成されているため、後端チャック７４を回転ドラム５４の周方向に沿った任意の位置に装着することができ、これにより、印刷版１２のサイズにかかわらず、先端チャック６２と後端チャック７４によって印刷版１２の先端と後端を確実に回転ドラム５４との間で挟持して、印刷版１２を回転ドラム５４に固定することができる。
【０１０５】
記録部２２では、回転ドラム５４に巻き付けた印刷版１２の先端部及び後端部を先端チャック６２及び後端チャック７４によって固定すると、回転ドラム５４を装着露光方向へ高速回転する。
【０１０６】
図８に示されるように、回転ドラム５４が回転することにより先端チャック６２のクランプ１００には、遠心力ＦAが作用する。先端チャック６２のクランプ１００には、この遠心力ＦAによって支点ＰAを中心とした回転モーメントが生じ、この回転モーメントによって、クランプ部１０２に回転ドラム５４の周面へ向けた押圧力Ｆ1が生じる。
【０１０７】
これにより、先端チャック６２は、コイルばね１３６の付勢力に応じた押圧力に加えて、遠心力ＦAに応じた押圧力Ｆ1によって回転ドラム５４との間で印刷版１２を強固に固定する。
【０１０８】
したがって、先端チャック６２は、回転ドラム５４に巻き付けられた印刷版１２に、回転ドラム５４が回転することにより遠心力が生じても、印刷版１２の先端を回転ドラム５４の所定の位置に確実に固定しておくことができる。
【０１０９】
一方、図１１（Ａ）に示されるように、回転ドラム５４が回転することにより、印刷版１２の後端部を回転ドラム５４に固定している後端チャック７４のクランプ１４０には、遠心力ＦBが作用する。後端チャック７４のクランプ１４０には、この遠心力ＦBによって、支持部材１４８のシャフト１５０を軸とした回転モーメントが作用する。
【０１１０】
クランプ１４０のクランプ部１４２は、印刷版１２に当接する当接部１４４を円弧状に形成している。これにより、印刷版１２に当接している当接位置Ｓでは、遠心力ＦBによる回転モーメントによって、接線方向に沿った引張力Ｆ2が生じる。この引張力Ｆ2は、印刷版１２の外方へ向けられている。
【０１１１】
したがって、回転ドラム５４が回転すると、印刷版１２の後端部は、後端チャック７４によって伸長方向へ引っ張られることになり、回転ドラム５４が回転したときに、印刷版１２に弛みが生じるのを防止することができる。すなわち、印刷版１２が回転ドラム５４と一体で回転したときに、印刷版１２に生じる遠心力によって印刷版１２に浮きが生じて回転ドラム５４の周面から離間することがある。このとき、後端チャック７４は、クランプ１４０に生じる遠心力ＦBによって、この印刷版１２の後端部を引っ張るので、回転ドラム５４に巻き付けた印刷版１２が回転ドラム５４の周面から離間する浮きや撓みが生じるのを確実に防止することができる。
【０１１２】
また、図１１（Ｂ）に示されるように、後端チャック７４は、支点ＰBが印刷版１２に当接する当接部１４４の円弧の中心位置となる点Ｐ1よりも回転ドラム５４の周面側となっている。このため、クランプ部１４２が回転モーメントによって回転することにより、印刷版１２に当接する当接位置Ｓが、当接位置Ｓ1から当接位置Ｓ2へ移動し、支点ＰBと印刷版１２との距離が長くなる。これにより、クランプ部１４２による印刷版１２の押圧力が大きくなると共に引張力Ｆ2が小さくなる。
【０１１３】
すなわち、後端チャック７４では、回転ドラム５４の回転によってクランプ１４０に遠心力ＦBが作用し、クランプ部１４２が回動することにより、最初は、押圧力Ｆ3と共に引張力Ｆ2が生じるが、徐々に印刷版１２を回転ドラム５４の周面へ向けて押圧する押圧力Ｆ3が増加するとと共に引張力Ｆ2が減少する。
【０１１４】
これにより、遠心力ＦBによるクランプ部１４２の回動が抑えられ、クランプ１４０による印刷版１２の引張が制限され、クランプ１４０が印刷版１２を必要以上に引っ張ってしまうことがない。
【０１１５】
さらに、クランプ１４０は、遠心力ＦBによって生じる押圧力Ｆ3によってクランプ部１４２と回転ドラム５４との間で印刷版１２の確実に挟持する。
【０１１６】
したがって、印刷版１２を走査露光するために回転ドラム５４が高速回転しても、印刷版１２に浮きや撓みは勿論、引っ張り過ぎによる位置ずれ等を生じさせることがなく確実に固定して、印刷版１２上の適切な位置に画像を記録することができ、印刷版１２の記録される画像が損なわれることがない。
【０１１７】
また、このようにして遠心力を用いて印刷版１２を確実にかつ適切に固定可能とすることにより、クランプ部１０２、１４２を回転ドラム５４へ向けて付勢しているコイルばね１３６や板ばね１７４の付勢力を小さくできるので、回転ドラム５４への印刷版１２の装着や、クランプ１４０の着脱を容易にすることが可能となる。
【０１１８】
なお、以上説明した本実施の形態は、本発明の構成を限定するものではない。例えば、本実施の形態では、後端チャック７４を回転ドラム５４の装着溝９０に挿入して装着することにより、回転ドラム５４の周方向に沿った任意の位置で印刷版１２の後端を保持するようにしたが、後端チャック７４が装着溝９０内を回転ドラム５４の周方向に沿って移動可能となるようにしても良く、これにより、印刷版１２のサイズにかかわらず、印刷版１２の先端と後端を確実に回転ドラム５４との間で挟持して保持することができる。
【０１１９】
また、本実施の形態では、先端チャック６２を回転ドラム５４の所定の位置に取り付けておき、後端チャック７４を印刷版１２のサイズに応じた位置に装着するようにしたが、印刷版１２のサイズに応じた位置に先端チャック６２及び後端チャック７４を着脱可能としたものであっても良い。
【０１２０】
また、本実施の形態では、本発明を適用した先端チャック６２及び後端チャック７４を、回転ドラム５４に印刷版１２を巻き付け、回転ドラム５４の回転に同期させて印刷版１２を走査露光する画像露光装置１０に適用して説明したが、画像露光装置１０に限らず、回転ドラム５４に印刷版１２を巻き付けて走査露光する任意の構成の画像露光装置に用いることができる。
【０１２１】
また、本実施の形態では、シート体として印刷版１２を用いたが、シート体としては、印刷版１２に限らず印画紙や写真フィルムなどの種々の感光材料は勿論、感光材料に限らず種々のシート体を回転ドラムに巻き付けて回転させるときの、シート体の固定装置として適用することができる。
【０１２２】
さらに、本実施の形態では、遠心力によって印刷版１２を回転ドラム５４へ向けて押圧するクランプ１００と、遠心力によって印刷版を回転ドラム５４へ向けて押圧しながら引っ張るクランプ１４０を用いて説明したが、少なくと遠心力によって印刷版１２を押圧するクランプ又は印刷版１２を引っ張るクランプを備えたものであれば良い。
【０１２３】
また、本実施の形態では、固定装置として先端チャック６２と後端チャック７４を用いて説明したが、先端チャック６２及び後端チャック７４は、本発明の固定装置の構成を限定するものではない。本発明の固定装置は、クランプに作用する遠心力によって、シート体への押圧力ないし引張力を生じさせる任意の構成を用いることができる。
【０１２４】
【発明の効果】
以上説明したように本発明によれば、回転ドラムを回転したときに第１のクランプに生じる遠心力によってシート体を挟持しながら引っ張る引張力を生じさせる。これにより、回転ドラムを回転させたときに、シート体に撓みを生じさせることなく確実に回転ドラムに固定することができる。
【０１２５】
また、本発明では、第２のクランプでシート体の一端を確実に固定し、第１のクランプに生じる遠心力によって回転ドラムとの間でシート体を挟持する第２のクランプ部に引張力を生じさせるので、シート体に撓みなどが生じるのを確実に防止することができると言う優れた効果が得られる。
【図面の簡単な説明】
【図１】本発明を適用した画像露光装置を示す概略構成図である。
【図２】画像露光装置の記録部を示す概略構成図である。
【図３】回転ドラムに対する先端チャックと後端チャックの配置を示す概略斜視図である。
【図４】本発明を適用した先端チャックを示す概略斜視図である。
【図５】先端チャックの要部を示す概略斜視図である。
【図６】先端チャックの要部を示すクランプの幅方向に沿った概略断面図である。
【図７】回転ドラムを回転したときにクランプに生じる遠心力とクランプ部に生じる押圧力を示す先端チャックの概略図である。
【図８】本発明を適用した後端チャックを示す概略斜視図である。
【図９】後端チャックの要部を示す概略斜視図である。
【図１０】後端チャックの要部を示すクランプの幅方向に沿った概略断面図である。
【図１１】（Ａ）は回転ドラムを回転したときにクランプに生じる遠心力とクランプ部に生じる押圧力を示す後端チャックの概略図、（Ｂ）は遠心力によるクランプの回動を示す概略図である。
【符号の説明】
１０    画像露光装置
１２    印刷版（シート体）
２２    記録部
５４    回転ドラム
６２    先端チャック（シート体の固定装置）
７４    後端チャック（シート体の固定装置）
９０    装着溝
１００    クランプ（第２のクランプ）
１０２    クランプ部（第２のクランプ部）
１０６    脚（第２の支持手段）
１２４    付勢脚
１３６    コイルばね
１４０    クランプ（第１のクランプ）
１４２    クランプ部（第１のクランプ部）
１４４    当接部
１４８    支持部材（第１の支持手段）
１５０    シャフト（支軸）
１７４    板ばね
【図１】
0004303412.tif 000002
【図２】
0004303412.tif 000003
【図３】
0004303412.tif 000004
【図４】
0004303412.tif 000005
【図５】
0004303412.tif 000006
【図６】
0004303412.tif 000007
【図７】
0004303412.tif 000008
【図８】
0004303412.tif 000009
【図９】
0004303412.tif 000010
【図１０】
0004303412.tif 000011
【図１１】
0004303412.tif 000012